(57)【要約】【課題】故障している電子部品を容易に特定する。【解決手段】ＰＣ２７に接続されたＩＣタグ読取装置２５で部品実装基板１２の部品実装面をスキャンする。各電子部品１５〜１８の部品用ＩＣタグ２０ａ〜２０ｄに記憶されている部品名情報２２を読み取る。ＰＣ２７の故障データベース３９内から、各電子部品１５〜１８に対応する故障名を検索する。故障データベース３９の検索結果に基づき、各電子部品１５〜１８と、各電子部品１５〜１８に対応する故障名と関連付けてＬＣＤ３３の表示画面３３ａに表示させる。サービスマンは、修理マニュアルを参照しなくとも交換すべき電子部品を容易に特定することができる。【選択図】図１
2008204279.tif 000002
【特許請求の範囲】
【請求項１】
回路基板に実装された複数種類の部品の中から故障しているものを特定する故障部品特定方法において、
実装済みの前記部品の部品用ＩＣタグから、少なくとも前記部品の名称を表す部品名情報を読み取る工程と、
前記部品名情報に基づき、前記回路基板に前記部品を実装してなる部品実装基板の故障名または故障症状と、前記故障名または故障症状に対応して交換される前記部品とを関連付けた故障データベースから、実装済みの前記部品に対応する前記故障名または故障症状を検索する工程と、
故障している前記部品を特定できるように、前記故障データベースの検索結果に基づき、実装済みの前記部品と前記故障名または故障症状とを関連付けて表示画面に表示する工程とを備えることを特徴とする故障部品特定方法。
【請求項２】
前記部品名情報を読み取る工程で、前記部品用ＩＣタグから前記部品名情報と共に前記部品の製造履歴を示すトレーサビリティ情報を読み取って、前記表示画面に前記トレーサビリティ情報も同時に表示することを特徴とする請求項１記載の故障部品特定方法。
【請求項３】
回路基板に実装された複数種類の部品の中から故障しているものを特定する故障部品特定方法において、
前記部品が溶断または破損したときに、前記部品に設けられた部品用ＩＣタグが前記部品と共に溶断または破損するようにしておき、
実装済みの前記部品の前記部品用ＩＣタグに記録されている記録情報の読み取りを行って、前記記録情報の読み取り可能な場合には前記部品を故障無しと判定し、前記記録情報が読み取り不可能な場合には前記部品を故障ありと判定することで、故障している前記部品の特定を行うことを特徴とする故障部品特定方法。
【請求項４】
回路基板に実装された複数種類の部品の中から故障しているものを特定する故障部品特定システムにおいて、
複数種類の前記各部品に設けられ、少なくとも前記部品の名称を表す部品名情報を記憶した部品用ＩＣタグと、
前記回路基板に前記部品を実装してなる部品実装基板の故障名または故障症状と、前記故障名または故障症状に対応して交換される前記部品とを関連付けた故障データベースと、
前記部品の前記部品用ＩＣタグから、少なくとも前記部品名情報を読み取る第１部品用ＩＣタグ読取手段と、
前記部品名情報に基づき、前記故障データベースから実装済みの前記部品に対応する前記故障名または故障症状を検索する検索手段と、
故障している前記部品を特定できるように、前記故障データベースの検索結果に基づき、実装済みの前記部品と前記故障名または故障症状とを関連付けて表示画面に表示する表示手段とを備えることを特徴とする故障部品特定システム。
【請求項５】
前記部品用ＩＣタグには、前記部品名情報と共に前記部品の製造履歴を示すトレーサビリティ情報が記憶されており、
前記第１部品用ＩＣタグ読取手段は、前記部品用ＩＣタグから前記部品名情報と共に前記トレーサビリティ情報を読み取り、
前記表示手段は、前記トレーサビリティ情報も前記表示画面に同時に表示することを特徴とする請求項４記載の故障部品特定システム。
【請求項６】
回路基板に実装された複数種類の部品の中から故障しているものを特定する故障部品特定システムにおいて、
複数種類の前記各部品に設けられ、前記部品が溶断または破損したときに前記部品と共に溶断または破損する部品用ＩＣタグと、
前記部品の前記部品用ＩＣタグから記録されている記録情報を読み取る第２部品用ＩＣタグ読取手段と、
前記記録情報の読み取り可能な場合には前記部品を故障無しと判定し、前記記録情報が読み取り不可能な場合には前記部品を故障ありと判定する判定手段とを備えることを特徴とする故障部品特定システム。
【発明の詳細な説明】
【技術分野】
【０００１】
本発明は、プリント基板等の回路基板に実装された複数の部品の中で故障しているものを特定する故障部品特定方法及びシステムに関するものである。
【背景技術】
【０００２】
デジタルカメラやプリンタ等の各種電子機器には、ＭＰＵ、ＲＯＭ、抵抗、コンデンサ等の各種電子部品が実装されている部品実装基板が内蔵されている（特許文献１参照）。そして、電子機器が故障したときにその故障原因が部品実装基板に起因するものであれば、サービスマンは部品実装基板を電子機器より取り外す。次いで、サービスマンは、電子機器や部品実装基板の品種別に作成された修理マニュアルに従って、故障の原因が電子部品の不具合に起因するものであれば故障した電子部品の交換を行う（特許文献２参照）。
【特許文献１】特開２００６−２８６９６９号公報
【特許文献２】特開平１１−３１７５８７号公報
【発明の開示】
【発明が解決しようとする課題】
【０００３】
ところで、上述の部品実装基板の故障時には、サービスマンは、修理マニュアルを参照しなければ、発生した故障に対応する故障電子部品を容易に特定することができない。その結果、故障電子部品の特定作業に手間が掛かってしまうので、修理に時間が掛かったり、修理コストが高くなったりする等の問題が生じてしまう。
【０００４】
本発明は上記問題を解決するためのであり、部品実装基板に実装されている複数の電子部品の中で故障しているものを容易に特定可能な故障部品特定方法及びシステムを提供することを目的とする。
【課題を解決するための手段】
【０００５】
本発明は、回路基板に実装された複数種類の部品の中から故障しているものを特定する故障部品特定方法において、実装済みの前記部品の部品用ＩＣタグから、少なくとも前記部品の名称を表す部品名情報を読み取る工程と、前記部品名情報に基づき、前記回路基板に前記部品を実装してなる部品実装基板の故障名または故障症状と、前記故障名または故障症状に対応して交換される前記部品とを関連付けた故障データベースから、実装済みの前記部品に対応する前記故障名または故障症状を検索する工程と、故障している前記部品を特定できるように、前記故障データベースの検索結果に基づき、実装済みの前記部品と前記故障名または故障症状とを関連付けて表示画面に表示する工程とを備えることを特徴とする。
【０００６】
前記部品名情報を読み取る工程で、前記部品用ＩＣタグから前記部品名情報と共に前記部品の製造履歴を示すトレーサビリティ情報を読み取って、前記表示画面に前記トレーサビリティ情報も同時に表示することが好ましい。
【０００７】
また、本発明は、回路基板に実装された複数種類の部品の中から故障しているものを特定する故障部品特定方法において、前記部品が溶断または破損したときに、前記部品に設けられた部品用ＩＣタグが前記部品と共に溶断または破損するようにしておき、実装済みの前記部品の前記部品用ＩＣタグに記録されている記録情報の読み取りを行って、前記記録情報の読み取り可能な場合には前記部品を故障無しと判定し、前記記録情報が読み取り不可能な場合には前記部品を故障ありと判定することで、故障している前記部品の特定を行うことを特徴とする。
【０００８】
本発明は、回路基板に実装された複数種類の部品の中から故障しているものを特定する故障部品特定システムにおいて、複数種類の前記各部品に設けられ、少なくとも前記部品の名称を表す部品名情報を記憶した部品用ＩＣタグと、前記回路基板に前記部品を実装してなる部品実装基板の故障名または故障症状と、前記故障名または故障症状に対応して交換される前記部品とを関連付けた故障データベースと、前記部品の前記部品用ＩＣタグから、少なくとも前記部品名情報を読み取る第１部品用ＩＣタグ読取手段と、前記部品名情報に基づき、前記故障データベースから実装済みの前記部品に対応する前記故障名または故障症状を検索する検索手段と、故障している前記部品を特定できるように、前記故障データベースの検索結果に基づき、実装済みの前記部品と前記故障名または故障症状とを関連付けて表示画面に表示する表示手段とを備えることを特徴とする。
【０００９】
前記部品用ＩＣタグには、前記部品名情報と共に前記部品の製造履歴を示すトレーサビリティ情報が記憶されており、前記第１部品用ＩＣタグ読取手段は、前記部品用ＩＣタグから前記部品名情報と共に前記トレーサビリティ情報を読み取り、前記表示手段は、前記トレーサビリティ情報も前記表示画面に同時に表示することが好ましい。
【００１０】
また、本発明は、回路基板に実装された複数種類の部品の中から故障しているものを特定する故障部品特定システムにおいて、複数種類の前記各部品に設けられ、前記部品が溶断または破損したときに前記部品と共に溶断または破損する部品用ＩＣタグと、前記部品の前記部品用ＩＣタグから記録されている記録情報を読み取る第２部品用ＩＣタグ読取手段と、前記記録情報の読み取り可能な場合には前記部品を故障無しと判定し、前記記録情報が読み取り不可能な場合には前記部品を故障ありと判定する判定手段とを備えることを特徴とする。
【発明の効果】
【００１１】
本発明は、回路基板に実装されている部品の部品用ＩＣタグから部品名情報を読み取るだけで、実装済みの各部品と各部品に対応する故障名または故障症状とを関連付けて表示画面に表示できるようにしたので、表示される故障名または故障症状に基づき、サービスマンが、修理マニュアルを参照しなくとも交換すべき部品を容易に特定することができる。その結果、修理に掛かる時間を短くすることができ、修理コストが抑えられる。
【００１２】
また、部品用ＩＣタグから部品名情報と共にトレーサビリティ情報を読み取って、表示画面にトレーサビリティ情報も同時に表示するようにしたので、サービスマンは故障している部品の製造履歴を容易に把握することができる。
【００１３】
また、回路基板に実装されている部品が溶断または破損したときに、部品に設けられた部品用ＩＣタグが部品と共に溶断または破損するようにしたので、部品用ＩＣタグから記録情報が読み取り可能か否かで部品の故障の有無を判定することができる。その結果、サービスマンは故障している部品を容易に特定することができる。同様に修理（部品交換）に掛かる時間を短くすることができ、修理コストが抑えられる。
【発明を実施するための最良の形態】
【００１４】
図１に示すような故障部品特定システム１０は、部品実装基板１２に実装されている電子部品の中から故障している電子部品を特定するのに用いられる。部品実装基板１２は、本実施形態ではプリント基板（回路基板）１３に第１〜第４電子部品１５〜１８を実装したものである。なお、電子部品の実装数は特に限定はされない。
【００１５】
第１電子部品１５には、その表面に第１部品用ＩＣタグ２０ａが接着固定されている。以下同様に、第２〜第４電子部品１６〜１８には、第２〜第４部品用ＩＣタグ２０ｂ〜２０ｄが接着固定されている。
【００１６】
各部品用ＩＣタグ２０ａ〜２０ｄは、電磁波を媒体にして交信可能な小型の非接触型ＩＣメモリであり、図示は省略するが情報を記憶するＩＣメモリチップと、このＩＣメモリチップに外部から無線によりアクセスできるように電磁波を送受信するアンテナ部とから構成される。各部品用ＩＣタグ２０ａ〜２０ｄは、無線により各種の認証を行うＲＦＩＤ（Ｒａｄｉｏ  Ｆｒｅｑｕｅｎｃｙ  Ｉｄｅｎｔｉｆｉｃａｔｉｏｎ）システムの構成要素として広く普及しつつあり、無線タグやＲＦＩＤタグや電子荷札などとも呼ばれる。各部品用ＩＣタグ２０ａ〜２０ｄのサイズは、数ｍｍ四方程度の大きさで、且つ厚みもコンマ数ｍｍ程度であるため、各電子部品１５〜１８上に貼り付けたとしても問題はない。
【００１７】
第１〜第４部品用ＩＣタグ２０ａ〜２０ｄには、それぞれ対応する電子部品の部品名情報２２と、電子部品の製造履歴を示すトレーサビリティ情報２３とが予め記憶されている。このトレーサビリティ情報２３として、例えば各電子部品１５〜１８のロット番号が記憶されている。本実施形態では、第１部品用ＩＣタグ２０ａには第１電子部品１５の部品名「ＭＰＵ−Ａ」とロット番号「Ｘ１」とが記憶され、第２部品用ＩＣタグ２０ｂには第２電子部品１６の部品名「ＲＯＭ−Ａ」とロット番号「Ｘ２」とが記憶されている。また、第３部品用ＩＣタグ２０ｃには第３電子部品１７の部品名「ａΩ」とロット番号「Ｘ３」とが記憶され、第４部品用ＩＣタグ２０ｄには第４電子部品１８の部品名「ｂＦ」とロット番号「Ｘ４」とが記憶されている。
【００１８】
故障部品特定システム１０は、ハンディ型の部品用ＩＣタグ読取装置（以下、単にＩＣタグ読取装置という）２５と、ノート型パーソナルコンピュータ（以下、単にＰＣという）２７とから構成される。
【００１９】
ＩＣタグ読取装置２５は、本発明の第１部品用ＩＣタグ読取手段に相当するものであり、各部品用ＩＣタグ２０ａ〜２０ｄと交信してタグ内の情報を読み取り可能なタグリーダ２５ａを備えている。このＩＣタグ読取装置２５は、接続ケーブル２８を介してＰＣ２７に接続されている。そして、部品実装基板１２の部品実装面をＩＣタグ読取装置２５でスキャンすると、ＩＣタグ読取装置２５により各電子部品１５〜１８の部品用ＩＣタグ２０ａ〜２０ｄから部品名情報２２とトレーサビリティ情報２３とが読み取られる。読み取られた部品名情報２２及びトレーサビリティ情報２３は、接続ケーブル２８を介してＰＣ２７に入力される。
【００２０】
図２に示すように、ＰＣ２７は、ＣＰＵ３０、ＲＡＭ３１、ストレージ３２、液晶ディスプレイ（ＬＣＤ）３３、入力ポート３４の他に、キーボードや電源ボタン等からなる操作部３５（図１参照）などを備えている。
【００２１】
ストレージ３２には、図示しないオペレーティングシステムの他に、検査プログラム３８などのアプリケーションプログラムや、故障データベース３９等がインストールされている。ＣＰＵ３０は、アプリケーションプログラムをＲＡＭ３１にロードして、プログラムに記述された命令に従って処理を実行する。検査プログラム３８が起動されると、ＰＣ２７は故障部品特定システム１０の一部として機能する。なお、ＰＣ２７を用いる代わりに専用の検査機を用いるようにしてもよい。
【００２２】
故障データベース３９には、多品種の部品実装基板の故障名と、故障名に対応して交換すべき電子部品とが関連付けて記憶されている。例えば部品実装基板１２の場合には、「Ａ故障」時には第１電子部品１５（ＭＰＵ−Ａ）を交換、「Ｂ故障」時には第２電子部品１６（ＲＯＭ−Ａ）を交換、「Ｃ故障」時には第３電子部品１７（ａΩ）を交換、「Ｄ故障」時には第４電子部品１８（ｂＦ）を交換するという情報が記憶されている。
【００２３】
入力ポート３４には、上述の接続ケーブル２８が接続される。そして、検査プログラム３８起動時に、ＩＣタグ読取装置２５により読み取られた部品名情報及びトレーサビリティ情報２３は、接続ケーブル２８及び入力ポート３４を介してＣＰＵ３０に入力される。
【００２４】
ＣＰＵ３０は、本発明の検索手段として機能し、例えば各電子部品１５〜１８の部品名情報２２及びトレーサビリティ情報２３が入力されたら、各部品名情報２２に基づき、各電子部品１５〜１８に対応する故障名を故障データベース３９内から検索する。次いで、ＣＰＵ３０は、故障データベース３９の検索結果に基づき、各電子部品１５〜１８と、各電子部品１５〜１８に対応する故障名とを関連付けてＬＣＤ３３の表示画面３３ａに表示する。
【００２５】
具体的には、図３に示すように、ＬＣＤ３３の表示画面３３ａに部品実装基板１２の正面図４１を表示させる。そして、この正面図４１中の第１電子部品１５（ＭＰＵ−Ａ）に対応する位置には「Ａ故障」を表示させ、以下同様に、第２電子部品１６（ＲＯＭ−Ａ）、第３電子部品１７（ａΩ）、第４電子部品１８（ｂＦ）に対応する位置に「Ｂ故障」〜「Ｄ故障」を表示させる。これにより、サービスマンは、例えば部品実装基板１２がＡ故障しているときは、第１電子部品１５（ＭＰＵ−Ａ）を交換すればよいということが判る。
【００２６】
また、ＣＰＵ３０は、入力されたトレーサビリティ情報２３に基づき、各電子部品１５〜１８の部品名と、各電子部品１５〜１８のロット番号Ｘ１〜Ｘ４とを対応させたロット番号表４２を、ＬＣＤ３３の表示画面３３ａに同時表示させる。これにより、サービスマンは、ロット番号に基づき故障している電子部品の製造履歴の調査を行うことができる。
【００２７】
なお、各電子部品１５〜１８と、各電子部品１５〜１８に対応する故障名とを関連付けて表示画面３３ａに表示する代わりに、各電子部品１５〜１８と、各電子部品１５〜１８が故障したときの部品実装基板１２の故障症状とを関連付けて表示画面３３ａに表示するようにしてもよい。この場合には、故障データベース３９に、部品実装基板の故障症状と、故障症状に対応して交換すべき電子部品とを関連付けて記憶させておく。
【００２８】
次に、図４のフローチャートを用いて故障部品特定システム１０を用いた故障電子部品の交換手順について説明を行う。サービスマンは、最初にＰＣ２７の検査プログラム３８を起動させる。次いで、サービスマンは、ＩＣタグ読取装置２５で部品実装基板１２の部品実装面をスキャンする。これにより、各電子部品１５〜１８の部品用ＩＣタグ２０ａ〜２０ｄに記憶されている部品名情報２２及びトレーサビリティ情報２３が読み取られて、ＰＣ２７のＣＰＵ３０に入力される。
【００２９】
ＣＰＵ３０は、入力された各部品名情報２２に基づき、各電子部品１５〜１８に対応する故障名を故障データベース３９内から検索する。次いで、ＣＰＵ３０は、故障データベース３９の検索結果に基づき、各電子部品１５〜１８と、各電子部品１５〜１８に対応する故障名とを対応させた正面図４１をＬＣＤ３３の表示画面３３ａに表示させる。この際に、上述したように、各電子部品１５〜１８と、各電子部品１５〜１８が故障したときの基板ユニット１８の故障症状とを関連付けて表示画面３３ａに表示するようにしてもよい。また、ＣＰＵ３０は、入力された各トレーサビリティ情報２３に基づき、ロット番号表４２を表示画面３３ａに同時表示させる。
【００３０】
サービスマンは、正面図４１中に表示されている部品実装基板１２の故障名に基づき、交換すべき故障電子部品を特定する。そして、再度、特定された故障電子部品をＩＣタグ読取装置２５でスキャンして部品名を確認したら、この故障電子部品を交換する。また、サービスマンは、ロット番号表４２に基づき故障電子部品のロット番号を確認して、このロット番号に基づき故障電子部品の製造履歴を調査する。
【００３１】
以上のように、本実施形態では部品実装基板１２に実装された各電子部品１５〜１８と、各電子部品１５〜１８に対応する故障名または故障症状とを関連付けて表示画面３３ａに表示することができる。これにより、サービスマンは、修理マニュアルを参照しなくとも交換すべき電子部品を容易に特定することができる。その結果、修理に掛かる時間を短くすることができ、修理コストが抑えられる。
【００３２】
また、各電子部品１５〜１８の（ロット番号）トレーサビリティ情報も同時に表示することで、サービスマンは故障している部品の製造履歴を容易に把握することができる。その結果、サービスマンは、製造履歴情報に基づき、故障電子部品の故障原因の調査を行うことができる。また、故障原因を特定しやすくなる。
【００３３】
なお、上記実施形態では、トレーサビリティ情報としてロット番号を用いるようにしているが、本発明はこれに限定されるものではなく、電子部品の製造履歴を把握可能な各種情報（例えば製造日、製造工場名等）をトレーサビリティ情報として用いるようにしてもよい。
【００３４】
また、上記実施形態では、各電子部品１５〜１８と、各電子部品１５〜１８に対応する故障名または故障症状とを関連付けて表示画面３３ａに表示する場合を例に挙げて説明を行ったが、本発明はこれに限定されるものでなく、各電子部品の除去方法（交換方法）も同時に表示するようにしてもよい。この場合には、故障データベース３９に電子部品の交換方法も記憶させておけばよい。
【００３５】
次に、図５を用いて故障部品特定システム５０について説明を行う。この故障部品特定システム５０は、デジタルカメラやプリンタ等の電子機器５２に組み込まれたプリント基板５３に実装されているサービス部品（消耗品）、例えば第１及び第２ヒューズ５４ａ，５４ｂの中で故障しているものを特定するのに用いられる。故障部品特定システム５０は、大別して、検査器５６と、第１及び第２部品用ＩＣタグ５７ａ，５７ｂとから構成される。
【００３６】
プリント基板５３は、電子機器５２の筐体５２ａの内壁面近傍に設けられている。そして、第１及び第２ヒューズ５４ａ，５４ｂは、プリント基板５３の筐体５２ａに対向する面側に実装されている。また、第１及び第２ヒューズ５４ａ，５４ｂと筐体５２ａとの間には、他の部材は設けられていない。
【００３７】
第１ヒューズ５４ａには、その部品名情報２２ａ（記録情報）を記憶した第１部品用ＩＣタグ５７ａが設けられ、第２ヒューズ５６ｂにも同様にその部品名情報２２ａを記憶した第２部品用ＩＣタグ５７ｂが設けられている。第１及び第２ヒューズ５４ａ，５４ｂは、実装時にリフロー加熱される際の加熱温度よりも高い溶断温度で溶断する。そして、両部品用ＩＣタグ５７ａ，５７ｂも溶断温度以上に加熱されたときに溶断されるように形成されている。
【００３８】
また、両部品用ＩＣタグ５７ａ，５７ｂは、第１及び第２ヒューズ５４ａ，５４ｂに密に一体化されている。このため、第１及び第２ヒューズ５４ａ，５４ｂが破損した時は、両部品用ＩＣタグ５７ａ，５７ｂも共に破損される。
【００３９】
検査器５６は、ハンディタイプの検査器であり、略柱状の検査器本体５８と、検査器本体５８の先端部に設けられたタグリーダ６０（第２部品用ＩＣタグ読取手段）と、検査器本体５８の側面に設けられた読取開始ボタン６２及びＬＣＤ６４とから構成される。そして、筐体５２ａの両ヒューズ５４ａ，５４ｂを覆っている部分に、検査器５６のタグリーダ６０を近づけて読取開始ボタン６２を押圧すると、タグリーダ６０が各部品用ＩＣタグ５７ａ，５７ｂと交信してタグ内の部品名情報２２ａを読み取る。本実施形態では、上述したように、第１及び第２ヒューズ５４ａ，５４ｂと筐体５２ａとの間に他の部材が設けられていないので、筐体５２内からプリント基板５３を取り出すことなく各部品用ＩＣタグ５７ａ，５７ｂ内の部品名情報２２ａを読み取ることができる。
【００４０】
図６に示すように、検査器本体５８内にはＣＰＵ６６、ストレージ（ＲＯＭなど）６８、バッテリ（図示せず）等が設けられている。ＣＰＵ６６は、検査器５６の各部の駆動を制御する。ストレージ６８には、検査器５６を動作させるプログラムの他にサービス部品情報７０が記憶されている。このサービス部品情報７０には、多品種のプリント基板と、これらに実装されているサービス部品とが関連付けて記憶されており、例えば、プリント基板５３には第１及び第２ヒューズ５４ａ，５４ｂが実装されている旨が記憶されている。
【００４１】
検査器５６の図示しない選択スイッチが操作されて、プリント基板５３の検査を行うことが決定されると、ＣＰＵ６６は、ストレージ６８内のサービス部品情報７０を検索して、プリント基板５３に実装されているサービス部品（第１及び第２ヒューズ５４ａ，５４ｂ）を調べる。この検索結果は、図示しないＲＡＭ等に一時的に記憶される。次いで、読取開始ボタン６２が押圧されると、タグリーダ６０により第１及び第２ヒューズ５４ａ，５４ｂの両部品用ＩＣタグ５７ａ，５７ｂの読み取りが開始される。
【００４２】
両部品用ＩＣタグ５７ａ，５７ｂの読み取り時に、両ヒューズ５４ａ，５４ｂが溶断または破損している場合には、上述したように両部品用ＩＣタグ５７ａ，５７ｂも同様に溶断または破損しているため、両部品用ＩＣタグ５７ａ，５７ｂ内の部品名情報２２ａを読み取ることができない。従って、ＣＰＵ６６（判定手段）は、サービス部品情報７０の検索結果に基づき、両部品用ＩＣタグ５７ａ，５７ｂ内の部品名情報２２ａが読み取り可能であるか否かで、両ヒューズ５４ａ，５４ｂの故障の有無を判定する。
【００４３】
例えば、第１部品用ＩＣタグ５７ａの部品名情報２２ａが読み取られ、第２部品用ＩＣタグ５７ｂの部品名情報２２ａが読み取られなかった場合に、ＣＰＵ６６は、第１ヒューズ５４ａは故障なしと判定し、第２ヒューズ５４ｂは故障有りと判定する。そして、図７に示すように、ＣＰＵ６６は、ＬＣＤ６４の表示画面６４ａに「第１ヒューズ→ＯＫ」、「第２ヒューズ→ＮＧ」と表示させる。これにより、サービスマンは、両ヒューズ５４ａ，５４ｂの中から故障しているものを特定することができる。
【００４４】
次に、図８のフローチャートを用いて故障部品特定システム５０を用いた故障部品の交換手順について説明を行う。サービスマンは、検査器５６の図示しない選択スイッチを操作して、例えばプリント基板５３の検査を選択する。これにより、ＣＰＵ６６が、サービス部品情報７０を検索して、プリント基板５３に実装されているサービス部品を調べて、この検索結果を図示しないＲＡＭ等に一時的に記憶する。
【００４５】
次いで、サービスマンは、検査器５６のタグリーダ６０を筐体５２ａの両ヒューズ５４ａ，５４ｂを覆っている部分に近づけたら、読取開始ボタン６２を押圧する。読取開始ボタン６２が押圧されると、タグリーダ６０により第１及び第２ヒューズ５４ａ，５４ｂの両部品用ＩＣタグ５７ａ，５７ｂの読み取りが開始される。
【００４６】
ＣＰＵ６６は、両部品用ＩＣタグ５７ａ，５７ｂ内の部品名情報２２ａが読み取り可能であるか否かで両ヒューズ５４ａ，５４ｂの故障の有無を判定し、この判定結果をＬＣＤ６４の表示画面６４ａに表示する。そして、サービスマンは、両ヒューズ５４ａ，５４ｂの中で故障しているものがあれば、筐体５２ａよりプリント基板５３を取り外して、故障しているヒューズの交換を行う。
【００４７】
以上のように、本実施形態ではヒューズ等のサービス部品が溶断または破損したときに、前記部品用ＩＣタグがサービス部品と共に溶断または破損するようにしておくことで、サービス部品の故障の有無を判定することができる。これにより、故障しているサービス部品の特定を容易に行うことができる。その結果、修理に掛かる時間を短くすることができ、修理コストが抑えられる。
【００４８】
なお、上記実施形態ではサービス部品としてヒューズを例に挙げたが、本発明はこれに限定されるものではなく、ある程度のサイクルで溶断または破損する各種サービス部品の故障の有無も特定する場合にも同様に本発明を適用することができる。また、プリント基板に実装されるサービス部品（電子部品）の種類は１種類に限定されるものではなく、複数種類のサービス部品が実装されていてもよい。
【００４９】
また、上記実施形態では、両部品用ＩＣタグ５７ａ，５７ｂに部品名情報２２ａが記録されている場合を例に挙げて説明を行ったが、本発明はこれに限定されるものではなく、製造番号（ロット番号）などの各種情報が記録されていてもよい。
【図面の簡単な説明】
【００５０】
【図１】部品実装基板に実装されている複数の電子部品の中から故障電子部品を特定するための故障部品特定システムの斜視図である。
【図２】故障部品特定システムを構成するノート型パーソナルコンピュータ（ＰＣ）の電気的構成を示したブロック図である。
【図３】故障部品特定システムによる検査時のＰＣの表示画面の正面図である。
【図４】故障部品特定システムを用いた故障部品の交換手順を示したフローチャートである。
【図５】電子機器内のプリント基板に実装されている複数の電子部品の中から故障電子部品を特定するための検査器の斜視図である。
【図６】検査器の電気的構成を示したブロック図である。
【図７】検査時における検査器の正面図である。
【図８】検査器を用いた故障部品の交換手順を示したフローチャートである。
【符号の説明】
【００５１】
１０  故障部品特定システム
１２  部品実装基板
１３  プリント基板
１５〜１８  第１〜第４電子部品
２０ａ〜２０ｄ  第１〜第４部品用ＩＣタグ
２２，２２ａ  部品名情報
２３  トレーサビリティ情報
２５  部品用ＩＣタグ読取装置
２７  ノート型パーソナルコンピュータ（ＰＣ）
３０  ＣＰＵ
３９  故障データベース
４１  正面図
４２  ロット番号表
５０  故障部品特定システム
５２  電子機器
５２ａ  筐体
５３  プリント基板
５４ａ，５４ｂ  第１、第２ヒューズ
５６  検査器
５７ａ，５７ｂ  第１、第２部品用ＩＣタグ
６０  タグリーダ
６４  ＬＣＤ
６６  ＣＰＵ
７０  サービス部品情報
【図１】
2008204279.tif 000003
【図２】
2008204279.tif 000004
【図３】
2008204279.tif 000005
【図４】
2008204279.tif 000006
【図５】
2008204279.tif 000007
【図６】
2008204279.tif 000008
【図７】
2008204279.tif 000009
【図８】
2008204279.tif 000010